(57)【特許請求の範囲】
【請求項１】
左旋円偏波受信時にハイレベル、右旋円偏波受信時にローレベルの直流電圧を供給する受信ユニットに信号線を介して接続されたアンテナユニットであって、
前記受信ユニットから出力端子に供給された前記直流電圧に応じて、左旋円偏波受信用アンテナ又は右旋円偏波受信用アンテナからの左旋円偏波受信信号又は右旋円偏波受信信号を選択的に前記出力端子から前記信号線を介して前記受信ユニットに出力する信号切換回路を有し、
前記信号切換回路は、
左旋円偏波受信信号を増幅する第１の増幅回路と、
右旋円偏波受信信号を増幅する第２の増幅回路と、
前記第１の増幅回路をオン・オフ制御可能な第１のレギュレータ回路と、
前記第２の増幅回路をオン・オフ制御可能な第２のレギュレータ回路と、
前記出力端子に供給された前記直流電圧を電圧降下させて前記第１のレギュレータ回路に供給する抵抗と、
前記出力端子に供給された前記直流電源を反転させて前記第２のレギュレータ回路に供給するインバータ回路とを有し、
前記抵抗は、前記出力端子に供給される前記直流電圧がハイレベルのときに前記第１の増幅回路へ定電圧を供給するように前記第１のレギュレータ回路をオン制御させ、前記出力端子に供給される前記直流電圧がローレベルのときに前記第１の増幅回路への定電圧の供給を停止するように前記第１のレギュレータ回路をオフ制御させ、
前記インバータ回路は、前記出力端子に供給される前記直流電圧がローレベルのときに前記第２の増幅回路へ定電圧を供給するように前記第２のレギュレータ回路をオン制御させ、前記出力端子に供給される前記直流電圧がハイレベルのときに前記第２の増幅回路への定電圧の供給を停止するように前記第２のレギュレータ回路をオフ制御させる
ことを特徴とするアンテナユニット。
【発明の詳細な説明】
【０００１】
【発明の属する技術分野】
本発明は、アンテナユニットに係り、特に入力信号を選択的に出力端子から出力するアンテナユニットに関する。
【０００２】
【従来の技術】
近年、ＣＤ（コンパクトディスク）等の普及により、ディジタルオーディオの優れた特性と使いやすさが一般に浸透してきている。このような背景から、オーディオ放送のディジタル化の動きが活発になっている。ディジタル化されたラジオ放送であるＤＡＢ（Ｄｉｇｉｔａｌ  Ａｕｄｉｏ  Ｂｒｏａｄｃａｓｔｉｎｇ）は、衛星波又は地上波に用いられ、付加価値の高いサービスを移動体で受信する聴取者に提供できる。このため、ＤＡＢ放送波を受信するアンテナとして、小型化が可能であり、取り付けも容易な平面アンテナが注目されている。
【０００３】
移動体受信においても良好な受信状態を保持するために、平面アンテナに方向の異なる偏波を受信するための複数の受信面を設け、良好な受信状態の電波を選択して受信できるようにしたアンテナユニットが提案されている。このような、アンテナユニットは、受信状態に応じて受信面を選択するために複数の受信面から供給される受信信号から１つの受信信号を選択する信号切換回路を内蔵している。
【０００４】
図４は、信号切換回路の一実施例の適用例のブロック図である。アンテナユニット１００は、アンテナユニット１００で受信された受信信号を供給され復調する受信ユニット２００に、アンテナユニット１００に駆動電源を供給する信号線３００と、放送波を受信する受信面を選択する制御信号を供給する制御線４００とにより接続されている。アンテナユニット１００は、受信した受信信号を受信ユニット２００に供給する。
【０００５】
図５は、アンテナユニットの一例のブロック図を示す。アンテナユニット１００は、電波中の左旋円偏波を受信する左旋円偏波受信用アンテナ１０１，電波中の右旋円偏波を受信する右旋円偏波受信用アンテナ１０２，左旋円偏波受信用アンテナ１０１で受信された左旋円偏波受信信号を増幅する増幅回路１０３，右旋円偏波受信用アンテナ１０２で受信された右旋円偏波受信信号を増幅する増幅回路１０４，増幅器１０３又は増幅器１０４で増幅された受信信号から一方を選択して出力する切換スイッチ１０５，切換スイッチ１０５により選択された受信信号から必要な成分だけを通過させる帯域通過ファイル１０６，帯域通過フィルタ１０６を通過した受信信号を増幅する増幅回路１０７，出力端子Ｔｏｕｔの電圧から信号成分を除去して増幅回路１０３の駆動電圧として供給するノイズフィルタＬ３，出力端子Ｔｏｕｔの電圧から信号成分を除去して増幅回路１０４の駆動電圧として供給するノイズフィルタＬ４，出力端子Ｔｏｕｔの電圧から信号成分を除去して増幅回路１０５の駆動電圧として供給するノイズフィルタＬ５，増幅回路１０７と出力端子Ｔｏｕｔとの間に設けられ直流成分を除去するコンデンサＣ２から構成される。
【０００６】
左旋円偏波受信用アンテナ１０１は、受信した左旋円偏波受信信号を増幅回路１０３に供給する。増幅回路１０３は、ＬＮＡ（Ｌｏｗ  Ｎｏｉｓｅ  Ａｍｐｌｉｆｉｅｒ）から構成され、左旋円偏波受信用アンテナ１０１から供給された左旋円偏波受信信号を増幅して、切換スイッチ１０５に供給する。
右旋円偏波受信用アンテナ１０２は、受信した右旋円偏波受信信号を増幅回路１０４に供給する。増幅回路１０４はＬＮＡから構成され、右旋円偏波受信用アンテナ１０２から供給された右旋円偏波受信信号を増幅して、切換スイッチ１０５に供給する。
【０００７】
切換スイッチ１０５は、信号通過タイプのスイッチＩＣ（Ｉｎｔｅｇｒａｔｅｄ  Ｃｉｒｃｕｉｔ）から構成され、制御端子Ｔｃｏｎｔに供給される制御信号に応じて増幅回路１０３の出力信号、又は、増幅回路１０４の出力信号のいずれか一方を帯域通過フィルタ１０６に供給する。帯域フィルタ１０６は、切換スイッチ１０５から供給される受信信号から必要とする帯域の信号成分を抽出し、増幅回路１０７に供給する。増幅回路１０７は、帯域フィルタ１０６から供給された信号を増幅して、コンデンサＣ２を介して出力端子Ｔｏｕｔに出力する。
【０００８】
図６は、アンテナユニットの一例の動作説明図を示す。図６（Ａ）は、制御端子Ｔｃｏｎｔに供給される制御信号，図６（Ｂ）は、切換スイッチ１０５の切換状態，図６（Ｃ）は、出力端子Ｔｏｕｔの信号の出力状態を示す。
時刻ｔ１０で、図６（Ａ）に示すように制御端子Ｔｃｏｎｔに供給される制御信号がローレベルのときには、切換スイッチ１０５の入力端子ｃは出力端子ａに接続される。このとき、増幅回路１０３は帯域フィルタ１０６と接続された状態となり、図６（Ｃ）に示すように左旋円偏波受信用アンテナ１０１で受信された左旋円偏波受信信号が、増幅回路１０３，帯域フィルタ１０６，増幅回路１０７，コンデンサＣ２を介して出力端子Ｔｏｕｔに出力される。
【０００９】
次に、時刻ｔ１１で、図６（Ａ）に示すように制御端子Ｔｃｏｎｔに供給される制御信号がハイレベルのときには、切換スイッチ１０５の入力端子ｃは出力端子ｂに接続される。このとき、増幅回路１０４は帯域フィルタ１０６と接続された状態となり、図６（Ｃ）に示すように右旋円偏波受信用アンテナ１０２で受信された右旋円偏波受信信号が、増幅回路１０４，帯域フィルタ１０６，増幅回路１０７，コンデンサＣ２を介して出力端子Ｔｏｕｔに出力される。
【００１０】
【発明が解決しようとする課題】
しかしながら、従来の信号切換回路では、ＤＣバイアスされたメイン信号を供給するための信号線の他に制御信号を供給するための制御線が必要であるため、配線が複雑になり、また、コスト高になるという問題があった。また、受信信号が通過する信号線の間に信号通過タイプの切換スイッチ１０５を挿入するため、切換スイッチ１０５による受信信号のロスが発生するという問題があった。
【００１１】
さらに、左旋円偏波受信用アンテナ１０１，右旋円偏波受信用アンテナ１０２で受信された信号は、切換スイッチ１０５により選択されて、どちらか一方しか使用されないにも関わらず、常に増幅回路１０３，１０４を動作させているため消費電力が増加するという問題があった。
本発明は、上記の点に鑑みなされたもので、配線の簡略化及び消費電力の削減を可能とするアンテナユニットを提供することを目的とする。
【００１２】
【課題を解決するための手段】
そこで、上記課題を解決するため、本発明は、入力信号を選択的に出力端子から出力する信号切換回路において、前記入力信号を増幅して前記出力端子に供給する増幅回路と、前記出力端子に印加される直流電圧に応じて定電圧を生成し、該定電圧を前記増幅回路を駆動する駆動電圧として前記増幅回路に供給する駆動電圧生成手段と、前記出力端子に印加される直流電圧レベルに応じて前記駆動電圧生成手段で生成された駆動電圧の前記増幅回路へ供給を制御する制御手段とを有する。
【００１３】
このように、入力信号を増幅して出力端子に供給する増幅回路と、出力端子に印加される直流電圧に応じて定電圧を生成し、定電圧を増幅回路を駆動する駆動電圧として増幅回路に供給する駆動電圧生成手段と、出力端子に印加される直流電圧レベルに応じて駆動電圧生成手段で生成された駆動電圧の増幅回路へ供給を制御する制御手段とを有することにより、切り替えを行うための専用の制御線が不要になり、配線を簡略化できる。
【００１４】
また、本発明は、前記出力端子に印加される前記直流電圧から定電圧を生成し、前記増幅回路に供給する定電圧回路と、制御端子に印加される電圧に応じて前記定電圧回路で生成された前記定電圧の前記増幅回路への供給をスイッチングするスイッチング手段とから構成される前記駆動電圧生成手段と、前記出力端子に印加される直流電圧に応じて前記駆動電圧生成手段の前記制御端子に供給する電圧を制御する前記制御手段とを有する。
【００１５】
このように、定電圧回路と、スイッチング手段とにより構成される駆動電圧生成手段と、駆動電圧生成手段の制御端子に供給する電圧を制御する制御回路により構成される制御手段とを有することにより、本発明を実現できる。
また、本発明は、第１及び第２の入力信号を選択的に出力端子から出力する信号切換回路において、前記第１の入力信号を増幅する第１の増幅回路と、前記第２の入力信号を増幅する第２の増幅回路と、前記出力端子に印加される前記直流電圧から定電圧を生成し、前記第１の増幅回路に供給する第１の駆動電圧生成手段と、前記出力端子に印加される前記直流電圧から定電圧を生成し、前記第２の増幅回路に供給する第２の駆動電圧生成手段と、前記出力端子に印加される直流電圧レベルが第１の直流電圧レベルの時に前記第１の駆動電圧生成手段で生成された定電圧を前記第１の増幅回路へ供給し、前記直流電圧レベルが第２の直流電圧レベルの時に前記定電圧の前記第１の増幅回路への供給を停止するように前記第１の駆動電圧制御手段を制御する第１の制御手段と、前記出力端子に印加される直流電圧レベルが第２の直流電圧レベルの時に前記第２の駆動電圧生成手段で生成された定電圧を前記第２の増幅回路へ供給し、前記直流電圧レベルが第１の直流電圧レベルの時に前記定電圧の前記第２の増幅回路への供給を停止するように前記第２の駆動電圧制御手段を制御する第２の制御手段とを有する。
【００１６】
このように、入力信号を増幅して出力端子に供給する第１及び第２の増幅回路と、出力端子に印加される第１及び第２の直流電圧から定電圧を生成し、増幅回路に供給する第１及び第２の定電圧回路と、出力端子に印加される直流電圧レベルに応じて定電圧回路で生成された駆動電圧の増幅回路への供給を制御する第１及び第２の制御回路とを有することで、切り替えを行うための専用の制御線が不要になり、配線を簡略化できる。さらに、増幅回路は、入力信号の内一つの信号を増幅する増幅回路のみを動作させるため消費電力を削減できる。
【００１７】
また、本発明は、前記第１及び第２の駆動電圧制御手段は、前記出力端子に印加される前記第１及び第２の直流電圧から定電圧を生成し、前記第１及び第２の増幅回路に供給する第１及び第２の定電圧回路と、制御端子に印加される電圧に応じて前記定電圧回路で生成された前記定電圧の前記増幅回路への供給をスイッチングするスイッチング手段とを有し、前記第１及び第２の制御手段は、前記出力端子に印加される第１及び第２の直流電圧に応じて前記第１及び第２の駆動電圧生成回路の前記制御端子に供給する電圧を制御する第１及び第２の制御回路を有する。
【００１８】
このように、出力端子に印加される第１及び第２の直流電圧から定電圧を生成し、第１及び第２の増幅回路に供給する第１及び第２の定電圧回路と、制御端子に印加される電圧に応じて定電圧回路で生成された定電圧の増幅回路への供給をスイッチングするスイッチング手段と、出力端子に印加される第１及び第２の直流電圧に応じて第１及び第２の駆動電圧生成回路の制御端子に供給する電圧を制御する第１及び第２の制御回路とを有することで、本発明を実現できる。
【００１９】
また、本発明は、前記出力端子の直流電圧が前記第１の直流電圧レベルの時に前記第１の定電圧回路の前記制御端子のレベルをオンレベルとし、前記第２の直流電圧レベルの時に前記第１の定電圧回路の前記制御端子のレベルをオフレベルとする抵抗器から構成される前記第１の制御回路と、前記出力端子の直流電圧が前記第１の直流電圧レベルの時に前記第１の直流電圧レベルを反転して前記第２の定電圧回路の前記制御端子のレベルをオフレベルとし、前記第２の直流電圧レベルの時に前記第２の直流電圧レベルを反転して前記第２の定電圧回路の前記制御端子のレベルをオンレベルとする反転回路から構成される前記第２の制御回路とを有する。
【００２０】
このように、出力端子の直流電圧が第１の直流電圧レベルの時に第１の定電圧回路の制御端子のレベルをオンレベルとし、第２の直流電圧レベルの時に第１の定電圧回路の制御端子のレベルをオフレベルとする抵抗器から構成される第１の制御回路と、出力端子の直流電圧が第１の直流電圧レベルの時に第１の直流電圧レベルを反転して第２の定電圧回路の制御端子のレベルをオフレベルとし、第２の直流電圧レベルの時に第２の直流電圧レベルを反転して第２の定電圧回路の前記制御端子のレベルをオンレベルとする反転回路から構成される第２の制御回路とを有することにより、本発明を実現できる。
【００２１】
【発明の実施の形態】
以下に、信号切換回路に関する本発明の実施例を図面に基づいて説明する。
図１は、本発明の信号切換回路の一実施例のブロック図を示す。本実施例では信号切換回路をＤＡＢ（Ｄｉｇｉｔａｌ  Ａｕｄｉｏ  Ｂｒｏａｄｃａｓｔｉｎｇ）受信用のアンテナユニット３０に設けた実施例について説明する。
【００２２】
アンテナユニット３０は、電波中の左旋円偏波を受信する左旋円偏波受信用アンテナ１０，電波中の右旋円偏波を受信する右旋円偏波受信用アンテナ１１，左旋円偏波受信用アンテナ１０で受信された左旋円偏波受信信号を増幅する第１の増幅回路１２，右旋円偏波受信用アンテナ１１で受信された右旋円偏波受信信号を増幅する第２の増幅回路１３，増幅回路１２又は増幅回路１３で増幅された受信信号から必要な成分だけを通過させる帯域通過フィルタ１４，帯域通過フィルタ１４を通過した信号を増幅する増幅回路１５，増幅回路１５と出力端子Ｔｏｕｔとの間に設けられ直流成分を除去するコンデンサＣ１，出力端子Ｔｏｕｔに供給される直流電圧を所定の電圧に変換するレギュレータ回路（定電圧回路）１６，出力端子Ｔｏｕｔに供給される直流電圧を電圧降下させレギュレータ回路１７に制御電圧信号を供給する第１の制御回路である抵抗Ｒ１，出力端子Ｔｏｕｔに供給される直流電圧を反転し、レギュレータ回路１８に制御信号を供給する第２の制御回路であるインバータ回路（反転回路）１９，出力端子Ｔｏｕｔに供給される直流電圧を所定の電圧に変換し、抵抗Ｒ１より供給される制御電圧信号に従って増幅回路１２に駆動電圧を供給する第１の定電圧回路であるレギュレータ１７，出力端子Ｔｏｕｔに供給される直流電圧を所定の電圧に変換し、インバータ回路１９より供給される制御電圧信号に従って増幅回路１３に駆動電圧を供給する第２の定電圧回路であるレギュレータ１８，レギュレータ１７の駆動電圧からノイズを除去するノイズフィルタＬ１，レギュレータ１８の駆動電圧からノイズを除去するノイズフィルタＬ２、出力端子Ｔout とレギュレータ１７、抵抗Ｒ１、インバータ１９との間に接続され、出力端子Ｔout に供給される電圧から信号成分を除去するフィルタＬ０から構成される。
【００２３】
左旋円偏波受信用アンテナ１０で受信された第１の入力信号である左旋円偏波受信信号は、左旋円偏波受信用アンテナ１０から増幅回路１２に供給される。増幅回路１２は、ＬＮＡ（Ｌｏｗ  Ｎｏｉｓｅ  Ａｍｐｌｉｆｉｅｒ）から構成され、左旋円偏波受信用アンテナ１０から供給された左旋円偏波受信信号を増幅して、帯域通過フィルタ１４に供給する。増幅回路１２は、レギュレータ１７からノイズフィルタＬ１を介して駆動電圧を供給され、所定の駆動電圧が印加されているときは、正常に動作し、左旋円偏波受信用アンテナ１０から供給された左旋円偏波受信信号を増幅して、帯域通過フィルタ１４に供給する。
【００２４】
右旋円偏波受信用アンテナ１１で受信された第２の入力信号である右旋円偏波受信信号は、右旋円偏波受信用アンテナ１１から増幅回路１３に供給される。増幅回路１３は、ＬＮＡ（Ｌｏｗ  Ｎｏｉｓｅ  Ａｍｐｌｉｆｉｅｒ）から構成され、右旋円偏波受信用アンテナ１１から供給された右旋円偏波受信信号を増幅して、帯域通過フィルタ１４に供給する。増幅回路１３は、レギュレータ１８からノイズフィルタＬ２を介して駆動電圧を供給され、所定の駆動電圧が印加されているときは、正常に動作し、右旋円偏波受信用アンテナ１１から供給された右旋円偏波受信信号を増幅して、帯域通過フィルタ１４に供給する。
【００２５】
帯域通過フィルタ１４は、増幅回路１２から供給される左旋円偏波受信信号、又は、増幅回路１３から供給される右旋円偏波受信信号のどちらか一方の受信信号から必要とする帯域の信号を抽出する。帯域フィルタは、抽出した信号を増幅回路１５に供給する。増幅回路１５は、帯域通過フィルタ１４から供給された信号を増幅してコンデンサＣ１を介して出力端子Ｔｏｕｔに出力する。
【００２６】
出力端子Ｔｏｕｔは、後述する受信ユニット側から直流電圧を印加されている。出力端子Ｔｏｕｔに印加される直流電圧は、後述する出力端子Ｔｏｕｔに接続されるケーブルを介して受信ユニットに接続され、ノイズフィルタＬ０を介してレギュレータ１６〜１８に供給される。
レギュレータ１６は、出力端子ＴｏｕｔからノイズフィルタＬ０を介して直流電圧を供給される。レギュレータ１６は、出力端子ＴｏｕｔからノイズフィルタＬ０を介して供給される直流電圧を増幅回路１５の駆動電圧に変換し、増幅回路１５に供給する。増幅回路１５は、レギュレータ１６から供給される駆動電圧により安定動作する。なお、レギュレータ１６は、他の電源安定化デバイスで代用しても良い。
【００２７】
レギュレータ１７は、外部からの制御電圧によりオン／オフ動作の制御が可能なスイッチング手段を有するレギュレータであり、駆動電圧として出力端子Ｔｏｕｔから直流電圧を供給される。レギュレータ１７のオン／オフ動作制御電圧は、出力端子Ｔｏｕｔから供給される直流電圧をフィルタＬ０、及び、抵抗Ｒ１を介してレギュレータ１７に供給される。従って、直流電圧が第１の直流電圧レベルであるハイレベルの時にレギュレータ１７はオン状態となり動作を行い、第２の直流電圧レベルであるローレベルの時にオフ状態となり動作を止める。なお、レギュレータ１７は、請求項１の駆動電圧生成手段と、請求項３の第１の駆動電圧生成手段とに対応する。また、抵抗Ｒ１は、請求項１の制御手段と、請求項３の第１の制御手段とに対応する。
【００２８】
レギュレータ１８は、外部からの制御電圧によりオン／オフ動作の制御が可能なレギュレータであり、駆動電圧として出力端子Ｔｏｕｔから直流電圧を供給される。レギュレータ１８のオン／オフ動作制御電圧は、出力端子Ｔｏｕｔから供給される直流電圧を、フィルタＬ０を介してインバータ回路１９に供給し、インバータ回路１９により反転してレギュレータ１８に供給される。従って、直流電圧がハイレベルの時にレギュレータ１８はオフ状態となり動作を停止し、ローレベルの時にオン状態となり動作を行う。
【００２９】
前記のように、レギュレータ１７がオン状態の時は、レギュレータ１７から増幅回路１２に駆動電圧を供給し、増幅回路１２が動作を行う。また、レギュレータ１８がオン状態の時は、レギュレータ１８から増幅回路１３に駆動電圧を供給し、増幅回路１３が動作を行う。
図２に本発明の信号切換回路の一実施例の動作説明図を示す。図２（Ａ）は出力端子Ｔｏｕｔの直流電圧、図２（Ｂ）はレギュレータ１７の動作状態、図２（Ｃ）はレギュレータ１８の動作状態、図２（Ｄ）は増幅回路１２の動作状態、図２（Ｅ）は増幅回路１３の動作状態、図２（Ｆ）は出力端子Ｔｏｕｔから出力される信号の状態を示す。
【００３０】
時刻ｔ０では、図２（Ａ）に示すように出力端子Ｔｏｕｔに受信ユニットから印加される直流電圧はハイレベルである。出力端子Ｔｏｕｔの直流電圧がハイレベルの時、レギュレータ１７に供給されるオン／オフ動作制御電圧はハイレベルであり、図２（Ｂ）に示すようにレギュレータ１７がオン状態となる。レギュレータ１７がオン状態になると、レギュレータ１７は、増幅回路１２に駆動電圧を供給するので、図２（Ｄ）に示すように増幅回路１２はオン状態となり、動作を行う。
【００３１】
一方、レギュレータ１８に供給されるオン／オフ動作制御電圧は、インバータ回路１９で反転されるためローレベルとなり、図２（Ｃ）に示すようにレギュレータ１８がオフ状態となる。レギュレータ１８がオフ状態になると、レギュレータ１８は、増幅回路１３に駆動電圧を供給しないので、図２（Ｅ）に示すように増幅回路１３はオフ状態となり、動作を停止する。
【００３２】
よって、時刻ｔ０では、増幅器１２だけが動作し、信号が増幅されるので、左旋円偏波受信用アンテナ１０で受信された左旋円偏波受信信号が増幅器回路１２で増幅され、帯域フィルタ１４に供給される。このため、図２（Ｆ）に示すように、出力端子Ｔｏｕｔは、左旋円偏波受信信号を出力する。
時刻ｔ１では、図２（Ａ）に示すように出力端子Ｔｏｕｔに受信ユニットから印加される直流電圧はローレベルである。出力端子Ｔｏｕｔの直流電圧がローレベルの時、レギュレータ１７に供給されるオン／オフ動作制御電圧はローレベルであり、図２（Ｂ）に示すようにレギュレータ１７がオフ状態となる。レギュレータ１７がオフ状態になると、レギュレータ１７は、増幅回路１２に駆動電圧を供給しないので、図２（Ｄ）に示すように増幅回路１２はオフ状態となり、動作を停止する。
【００３３】
一方、レギュレータ１８に供給されるオン／オフ動作制御電圧は、インバータ回路１９で反転されるためハイレベルとなり、図２（Ｃ）に示すようにレギュレータ１８がオン状態となる。レギュレータ１８がオン状態になると、レギュレータ１８は、増幅回路１３に駆動電圧を供給するので、図２（Ｅ）に示すように増幅回路１３はオン状態となり、動作を行う。
【００３４】
よって、時刻ｔ１では、増幅器１３だけが動作し、信号が増幅されるので、右旋円偏波受信用アンテナ１１で受信された右旋円偏波受信信号が増幅器回路１３で増幅され、帯域フィルタ１４に供給される。このため、図２（Ｆ）に示すように、出力端子Ｔｏｕｔは、右旋円偏波受信信号を出力する。
以上、本実施例によれば、出力端子Ｔｏｕｔの直流電圧を制御することにより出力信号の切換を行うことができ、切換を行うための専用の制御線が不要になるため、配線を簡略化できる。さらに、受信信号が通過する信号線の間に信号通過タイプの切換スイッチ等を挿入する必要がなく、受信信号にロスが発生するという問題がなくなる。さらに、左旋円偏波受信用アンテナ１０，右旋円偏波受信用アンテナ１１で受信された信号を増幅する増幅回路は、常にどちらか一方しか動作していないため、消費電力が削減できる。
【００３５】
図３は、本発明の信号切換回路の一実施例の適用例のブロック図を示す。アンテナユニット３０は、ＤＡＢ放送を受信するための受信ユニット３１に接続される。アンテナユニット３０と受信ユニット３１とは、信号線３２によってのみ接続される。
受信ユニット３１は、左旋円偏波受信用アンテナ１０からの左旋円偏波受信信号を受信する時に、信号線３２の直流電圧をハイレベルに設定する。また、受信ユニット３１は、左旋円偏波受信用アンテナ１０からの左旋円偏波受信信号のレベルが小さい時に、信号線３２の直流電圧をローレベルに設定する。この時、アンテナユニット３０の出力信号は、右旋円偏波受信用アンテナ１１からの右旋円偏波受信信号に切り替わり、受信レベルの大きい受信信号を選択することが可能となる。
【００３６】
この時、アンテナユニット３０と受信ユニット３１との接続は、アンテナユニット３０で受信された受信信号を受信ユニットに供給する信号線３２の直流電圧をローレベル又はハイレベルに切り替えるだけで良く、アンテナ切り替え用の専用信号線は不要となる。
なお、本実施例では、アンテナユニットにおいて異なる偏波方向の電波を受信する複数の受信面を有する平面アンテナから一つの受信面で受信した受信信号を選択する時に用いられる信号切換回路について説明したが、上記に限るものではなく、例えば、ダイバーシティアンテナの受信方向の異なるアンテナ素子における受信信号の切換等の適用もできる。また、アンテナに限るものでなく、２つの入力信号の内、任意の１つの信号を選択して出力する回路として適用できる。
【００３７】
さらに、本実施例では、左旋円偏波受信用アンテナ及び右旋円偏波受信用アンテナから供給される左右旋円偏波受信信号を増幅器において増幅し、帯域フィルタにて受信信号から必要な成分だけ取り出し、帯域フィルタにより取り出された信号を増幅器により増幅するという構成になっているが、左旋円偏波受信用アンテナ及び右旋円偏波受信用アンテナから供給される左右旋円偏波受信信号を増幅する増幅器のみでも構成可能である。
【００３８】
【発明の効果】
上述の如く、本発明によれば、入力信号を増幅して出力端子に供給する増幅回路と、出力端子に印加される直流電圧に応じて定電圧を生成し、定電圧を増幅回路を駆動する駆動電圧として増幅回路に供給する駆動電圧生成手段と、出力端子に印加される直流電圧レベルに応じて駆動電圧生成手段で生成された駆動電圧の増幅回路へ供給を制御する制御手段とを有することにより、切り替えを行うための専用の制御線が不要になり、配線を簡略化できる。
【００３９】
また、本発明によれば、定電圧回路と、スイッチング手段とにより構成される駆動電圧生成手段と、駆動電圧生成手段の制御端子に供給する電圧を制御する制御回路により構成される制御手段とを有することにより、本発明を実現できる。
また、本発明によれば、入力信号を増幅して出力端子に供給する第１及び第２の増幅回路と、出力端子に印加される第１及び第２の直流電圧から定電圧を生成し、増幅回路に供給する第１及び第２の定電圧回路と、出力端子に印加される直流電圧レベルに応じて定電圧回路で生成された駆動電圧の増幅回路への供給を制御する第１及び第２の制御回路とを有することで、切り替えを行うための専用の制御線が不要になり、配線を簡略化できる。さらに、増幅回路は、入力信号の内一つの信号を増幅する増幅回路のみを動作させるため消費電力を削減できる。
【００４０】
また、本発明によれば、出力端子に印加される第１及び第２の直流電圧から定電圧を生成し、第１及び第２の増幅回路に供給する第１及び第２の定電圧回路と、制御端子に印加される電圧に応じて定電圧回路で生成された定電圧の増幅回路への供給をスイッチングするスイッチング手段と、出力端子に印加される第１及び第２の直流電圧に応じて第１及び第２の駆動電圧生成回路の制御端子に供給する電圧を制御する第１及び第２の制御回路とを有することで、本発明を実現できる。
【００４１】
また、本発明によれば、出力端子の直流電圧が第１の直流電圧レベルの時に第１の定電圧回路の制御端子のレベルをオンレベルとし、第２の直流電圧レベルの時に第１の定電圧回路の制御端子のレベルをオフレベルとする抵抗器から構成される第１の制御回路と、出力端子の直流電圧が第１の直流電圧レベルの時に第１の直流電圧レベルを反転して第２の定電圧回路の制御端子のレベルをオフレベルとし、第２の直流電圧レベルの時に第２の直流電圧レベルを反転して第２の定電圧回路の前記制御端子のレベルをオンレベルとする反転回路から構成される第２の制御回路とを有することにより、本発明を実現できる。
【図面の簡単な説明】
【図１】本発明の信号切換回路の一実施例のブロック図である。
【図２】本発明の信号切換回路の一実施例の動作説明図である。
【図３】本発明の信号切換回路の一実施例の適用例のブロック図である。
【図４】従来の信号切換回路の一実施例の適用例のブロック図である。
【図５】アンテナユニットの一例のブロック図である。
【図６】アンテナユニットの一例の動作説明図を示す。
【符号の説明】
１０    左旋円偏波受信用アンテナ
１１    右旋円偏波受信用アンテナ
１２，１３    増幅回路
１４    帯域通過フィルタ
１５    増幅回路
１６，１７，１８    レギュレータ
１９    インバータ回路
３０    アンテナユニット
３１    受信ユニット
３２    信号線
Ｃ１    コンデンサ
Ｌ０，Ｌ１，Ｌ２    ノイズフィルタ
Ｒ１    抵抗
Ｔｏｕｔ    出力端子
【図１】
0003879258.tif 000002
【図２】
0003879258.tif 000003
【図３】
0003879258.tif 000004
【図４】
0003879258.tif 000005
【図５】
0003879258.tif 000006
【図６】
0003879258.tif 000007